(57)【要約】      （修正有）【課題】衝撃による応力の発生を分散させて、衝撃を良好に緩和することができるケースおよびそれを備えた時計を提供する。【解決手段】ケース本体と、このケース本体の外周にその円周方向に変位可能に配置され、ケース本体の円周方向における一部を分離するための分離部１６が設けられた外装ケース８と、を備えている。従って、外装ケース８が落下などの衝撃を受けた際に、外装ケース８を分離部１６によって円周方向に変位させることができる。このため、外装ケース８における衝撃による応力の発生を良好に分散させることができ、衝撃を良好に緩和することができるので、衝撃による外装ケース８の破損を防ぐことができる。【選択図】図５
2019027854.tif 000002
【特許請求の範囲】
【請求項１】
ケース本体と、
前記ケース本体の外周にその円周方向に変位可能に配置され、前記ケース本体の前記円周方向における少なくとも一部を分離する分離部が設けられた外装部材と、
を備えていることを特徴とするケース。
【請求項２】
請求項１に記載のケースにおいて、前記外装部材の前記分離部は、スイッチ部が設けられる前記ケース本体の箇所に対応して設けられていることを特徴とするケース。
【請求項３】
請求項２に記載のケースにおいて、前記分離部は、前記外装部材をその円周方向に分離するためのスリット溝と、このスリット溝の中心部に設けられて前記スイッチ部の頭部が挿入する挿入孔と、を備えていることを特徴とするケース。
【請求項４】
請求項３に記載のケースにおいて、前記挿入孔は、前記スイッチ部の前記頭部の外径よりも前記円周方向に大きく形成されていることを特徴とするケース。
【請求項５】
請求項２〜請求項４のいずれかに記載のケースにおいて、前記ケース本体には、前記スイッチ部以外の他のスイッチ部が設けられ、前記外装部材には、前記他のスイッチ部の頭部が挿入する取付孔が、前記他のスイッチ部の前記頭部の外径よりも前記円周方向に大きく形成されていることを特徴とするケース。
【請求項６】
請求項１〜請求項５のいずれかに記載のケースにおいて、前記ケース本体には、バンド突起部が外部に突出して設けられ、前記外装部材には、前記バンド突起部を覆うカバー部がその内面と前記バンド突起部の外面との間に前記外装部材の円周方向に隙間をもって設けられていることを特徴とするケース。
【請求項７】
請求項１〜請求項６のいずれかに記載のケースにおいて、前記外装部材は、セラミックスによって形成されていることを特徴とするケース。
【請求項８】
請求項１〜請求項７のいずれかに記載されたケースを備えていることを特徴とする時計。
【発明の詳細な説明】
【技術分野】
【０００１】
この発明は、腕時計などの電子機器に用いられるケースおよびそれを備えた時計に関する。
【背景技術】
【０００２】
例えば、電子機器のシールドケースにおいては、特許文献１に記載されているように、天板の周囲に側板を設け、この側板を回路基板上に固定させて、回路基板に搭載された電子部品を覆うことにより、回路基板の電子部品をシールドする構造のものが知られている。
【先行技術文献】
【特許文献】
【０００３】
【特許文献１】特開２０１１−２４９６８９号公報
【０００４】
この種のシールドケースは、側板に複数のスリット部を天板からその反対側に位置する側板の辺部側の端部に亘って設けることにより、シールドケースが落下などの衝撃を受けた際に、複数のスリット部によってシールドケース全体を撓み変形させて衝撃を緩和するように構成されている。
【発明の概要】
【発明が解決しようとする課題】
【０００５】
しかしながら、このようなシールドケースでは、シールドケースが落下などの衝撃を受けて、側板に設けられた複数のスリット部によってシールドケース全体を撓み変形させる際に、複数のスリット部に対応する箇所の天板に衝撃による応力が集中するため、天板が破損し易いという問題がある。
【０００６】
この発明が解決しようとする課題は、衝撃による応力の発生を分散させて、衝撃を良好に緩和することができるケースおよびそれを備えた時計を提供することである。
【課題を解決するための手段】
【０００７】
この発明は、ケース本体と、前記ケース本体の外周にその円周方向に変位可能に配置され、前記ケース本体の前記円周方向における少なくとも一部を分離する分離部が設けられた外装部材と、を備えていることを特徴とするケースである。
【発明の効果】
【０００８】
この発明によれば、外装部材が衝撃を受けた際に、外装部材を円周方向に変位させることができるので、衝撃による応力の発生を良好に分散させることができ、これにより衝撃を良好に緩和することができる。
【図面の簡単な説明】
【０００９】
【図１】この発明を腕時計に適用した一実施形態を示した正面図である。
【図２】図１に示された腕時計を３時側から見た拡大側面図である。
【図３】図１に示された腕時計のＡ−Ａ矢視における拡大断面図である。
【図４】図１に示された腕時計を分解して示した斜視図である。
【図５】図２に示された腕時計において、３時側のスイッチ部を取り外した状態を示した拡大斜視図である。
【図６】図５に示された腕時計の３時側に位置する外装部材の分離部を示した要部の拡大斜視図である。
【発明を実施するための形態】
【００１０】
以下、図１〜図６を参照して、この発明を腕時計に適用した一実施形態について説明する。
この腕時計は、図１〜図３に示すように、腕時計ケース１を備えている。この腕時計ケース１の１２時側と６時側とには、バンド取付部２がそれぞれ設けられている。また、この腕時計ケース１の３時側には、竜頭などのスイッチ部３が設けられており、この腕時計ケース１の２時側および４時側には、押釦スイッチ４がそれぞれ設けられている。
【００１１】
この腕時計ケース１の内部には、図３に示すように、時計モジュール５が配置されている。この時計モジュール５は、指針を運針させて時刻を指示する時計ムーブメント、時刻や日付などの情報を電気光学的に表示する表示部、これを駆動する回路基板などの時計機能に必要な各種の部品（いずれも図示せず）を備えている。この場合、時計モジュールの上方には、リング状の見切り部材６が配置されている。
【００１２】
一方、この腕時計ケース１は、図１〜図４に示すように、ケース本体７と外装部材である外装ケース８とを備えている。ケース本体７は、第１ケース部１０と第２ケース部１１とで構成されている。第１ケース部１０は、硬質の合成樹脂または金属でほぼリング状に形成されている。第２ケース部１１は、外部ケース１２と内部ケース１３とで構成されている。
【００１３】
第２ケース部１１の外部ケース１２は、図３および図４に示すように、硬質の合成樹脂または金属で形成されている。この外部ケース１２は、その外径が第１ケース部１０の外径よりも大きい大きさで、内径が第１ケース部１０の内径よりも大きく、かつ第１ケース部１０の外径よりも小さい大きさのリング状に形成され、第１ケース部１０の上端部に防水パッキン１２ａを介して配置されている。
【００１４】
この場合、外部ケース１２は、図３および図４に示すように、第１ケース部１０の上端部に配置された際に、外部ケース１２の下部外周に設けられた切欠き部１２ｂに、第１ケース部１０の上端部の外周に設けられた外周突起部１０ａが嵌り合うように形成されている。これにより、外部ケース１２は、第１ケース部１０の上端部に配置された際に、径方向の位置が規制されるように構成されている。
【００１５】
また、第２ケース部１１の内部ケース１３は、図３および図４に示すように、外部ケース１２と同様、硬質の合成樹脂または金属で形成されている。この内部ケース１３は、その外径が外部ケース１２の内径と同じ大きさで、内径が第１ケース部１０の内径よりも小さい大きさのリング状に形成されている。
【００１６】
これにより、内部ケース１３は、図３および図４に示すように、第１ケース部１０の内部に突出した状態で、第１ケース部１０の上部内周に嵌り合って取り付けられるように構成されている。また、この内部ケース１３は、第１ケース部１０の上端部上に位置する高さが、これに対応する外部ケース１２の高さの半分以下の高さに形成されている。
【００１７】
この場合、内部ケース１３は、図３および図４に示すように、第１ケース部１０の上端部に防水パッキン１２ａを介して外部ケース１２を配置させた状態で、外部ケース１２の上方からその内部に挿入されて第１ケース部１０の上部内周に嵌め込まれるように構成されている。これにより、内部ケース１３は、その内周面に設けられた係止部１３ａが外部ケース１２の内周面の下部に設けられた内周突起部１２ｃを上方から押え付けて、外部ケース１２を第１ケース部１０の上端部に固定するように構成されている。
【００１８】
また、この腕時計ケース１のケース本体７の上側開口部、つまり第２ケース部１１の外部ケース１２の上側開口部には、図１〜図４に示すように、時計ガラス１４がガラスパッキン１４ａを介して取り付けられている。この腕時計ケース１のケース本体７の下部、つまり第１ケース部１０の下部には、裏蓋１５が防水リング１５ａを介して取り付けられている。
【００１９】
また、ケース本体７の第１ケース部１０における外周面の１２時側と６時側とには、図３に示すように、腕時計ケース１のバンド取付部２の取付突起部２ａが外部に突出して設けられている。この第１ケース部１０の３時側には、図４および図５に示すように、スイッチ部３の操作軸３ａが挿入して取り付けられるスイッチ取付孔１０ｂが設けられている。さらに、この第１ケース部１０の２時側と４時側とには、押釦スイッチ４の釦軸４ａが挿入して取り付けられる釦取付孔１０ｃがそれぞれ設けられている。
【００２０】
ところで、外装ケース８は、図１〜図５に示すように、高硬度の材料、例えば酸化ジルコニウム（ＺｒＯ２）、酸化アルミニウム（Ａｌ２Ｏ３）などのセラミックスによって、ほぼリング状に形成されている。この外装ケース８は、その内径がケース本体７の第１ケース部１０の外径とほぼ同じ大きさで、外径が本体ケース７の第２ケース部１１における外部ケース１２の外径とほぼ同じ大きさに形成されている。これにより、外装ケース８は、第１ケース部１０の外周にこれを覆った状態で、円周方向に変位可能に配置されている。
【００２１】
この外装ケース８の外周面における１２時側と６時側とには、図３に示すように、腕時計ケース１のバンド取付部２のカバー突起部２ｂがそれぞれ設けられている。この外装ケース８のカバー突起部２ｂは、外装ケース８が第１ケース部１０の外周に配置された際に、第１ケース部１０の取付突起部２ａを覆うように形成されている。この場合、カバー突起部２ｂは、第１ケース部１０の取付突起部２ａを覆った際に、カバー突起部２ｂの内面と取付突起部２ａの外面との間に隙間が外装ケース８の円周方向に設けられるように形成されている。
【００２２】
また、この外装ケース８は、図４〜図６に示すように、スイッチ部３が設けられる第１ケース部１０の３時側に対応する箇所に、外装ケース８をその円周方向に分離するための分離部１６が設けられている。また、この外装ケース８は、分離部１６の円周方向における両側に、スイッチ部３の操作頭部３ｂを保護するための一対の保護突起部１７がそれぞれ山形状に突出して設けられている。
【００２３】
この外装ケース８の分離部１６は、図４〜図６に示すように、外装ケース８の外周面に設けられたほぼ円形状の凹部１６ａと、この凹部１６ａ内に設けられて外装ケース８を円周方向に切り離すためのスリット溝１６ｂと、凹部１６ａ内の中心部に設けられたスイッチ挿入孔１６ｃと、を備えている。
【００２４】
この場合、分離部１６の凹部１６ａは、図４〜図６に示すように、その直径が外装ケース８の円周方向と直交する方向の長さ、つまり第１ケース部１０の高さ方向の長さ（図５では上下方向の長さ）とほぼ同じ大きさで、一対の保護突起部１７間に窪んだ状態でほぼ円形のすり鉢状に形成されている。
【００２５】
スリット溝１６ｂは、図５および図６に示すように、外装ケース８の円周方向と直交する方向つまり第１ケース部１０の高さ方向（図５では上下方向）において、凹部１６ａの中心部を通して外装ケース８の上端部と下端部とに亘って設けられている。すなわち、このスリット溝１６ｂは、外装ケース８が第１ケース１９の外周に配置された状態で、外装ケース８をその円周方向に変位可能にさせるためのものであり、円周方向の溝幅がスイッチ部３の操作軸３ａの外径よりも小さく形成されている。
【００２６】
また、スイッチ挿入孔１６ｃは、図４〜図６に示すように、スイッチ部３の円柱状の操作頭部３ｂが回転可能に配置される円形孔であり、凹部１６ａ内の中心部にその内外に貫通して設けられている。このため、スリット溝１６ｂは、スイッチ挿入孔１６ｃの上部側と下部側とに分かれた状態で設けられている。
【００２７】
このスイッチ挿入孔１６ｃは、図４〜図６に示すように、その内径がスイッチ部３の操作頭部３ｂの外径よりも少し大きく形成されている。このため、スイッチ挿入孔１６ｃは、スイッチ部３の操作頭部３ｂが配置された際に、操作頭部３ｂの外周面とスイッチ挿入孔１６ｃの内周面との間に隙間が設けられるように形成されている。また、スイッチ挿入孔１６ｃは、その中心軸が第１ケース部１０のスイッチ取付孔１０ｂの中心軸と一致した状態で、第１ケース部１０のスイッチ取付孔１０ｂに対応して設けられている。
【００２８】
これにより、スイッチ部３は、図４〜図６に示すように、その操作軸３ａが第１ケース部１０のスイッチ取付孔１０ａに挿入されて取り付けられた状態で、操作頭部３ｂが外装ケース８のスイッチ挿入孔１６ｃに挿入されて外部に露出するように構成されている。この場合、スイッチ部３は、外装ケース８がその円周方向に変位しても、操作頭部３ｂの外周面とスイッチ挿入孔１６ｃの内周面との間に設けられた隙間によって、操作頭部３ｂがスイッチ挿入孔１６ｃの内周面に当接しないように構成されている。
【００２９】
また、この外装ケース８の２時側と４時側とには、図２〜図５に示すように、押釦スイッチ４の釦頭部４ｂが挿入する釦挿入孔８ａが第１ケース部１０の釦取付孔１０ｃと同一軸上に対応してそれぞれ設けられている。この場合、押釦スイッチ４の釦頭部４ｂは、腕時計ケース１の外周面における円周方向に長いほぼ長方形に形成されている。このため、釦挿入孔８ａは、押釦スイッチ４の釦頭部４ｂよりも外装ケース８の円周方向に少し長い大きさのほぼ長方形状に形成されている。
【００３０】
すなわち、この釦挿入孔８ａは、図４および図５に示すように、押釦スイッチ４の釦頭部４ｂが配置された状態で、外装ケース８の円周方向における釦頭部４ｂの両端部との間に分離部１６のスリット溝１６ｂの溝幅とほぼ同じ大きさの隙間が設けられる大きさで形成されている。これにより、押釦スイッチ４は、釦頭部４ｂが外装ケース８の釦挿入孔８ａに配置された状態で、外装ケース８がその円周方向に変位しても、釦挿入孔８ａの両側が釦頭部４ｂの両端部に当接しないように構成されている。
【００３１】
次に、このような腕時計の作用について説明する。
腕時計ケース１を組み立てる場合には、まず、ケース本体７の第１ケース部１０の外周に外装ケース８を取り付ける。このときには、外装ケース８の３時側に設けられた分離部１６のスリット溝１６ｂとスイッチ挿入孔１６ｃとによって、外装ケース８を円周方向に押し広げることができる。このため、外装ケース８を第１ケース部１０の上方から第１ケース部１０の外周に円滑にかつ良好に嵌め込むことができる。
【００３２】
この場合には、第１ケース部１０の１２時側と６時側とに設けられた取付突起部２ａに外装ケース８のカバー突起部２ｂを対応させて、この外装ケース８のカバー突起部２ｂで第１ケース部１０の取付突起部２ａを覆う。このときには、外装ケース８のカバー突起部２ｂの内面と第１ケース部１０の取付突起部２ａの外面との間に、外装ケース８の分離部１６のスリット溝１６ｂとほぼ同じ大きさの隙間が、円周方向に設けられる。これにより、腕時計ケース１のバンド取付部２が形成される。
【００３３】
また、このときには、外装ケース８の分離部１６のスイッチ挿入孔１６ｃを第１ケース部１０のスイッチ取付孔１０ａに同一軸上に対応させると共に、外装ケース８の釦挿入孔８ａを第１ケース部１０の釦取付孔１０ｂに同一軸上に対応させる。これにより、外装ケース８が第１ケース部１０の外周にその円周方向に変位可能な状態で取り付けられる。
【００３４】
そして、第１ケース部１０の上端部に第２ケース部１１を取り付けてケース本体７を組み立てる。このときには、まず、第１ケース部１０の上端部に防水パッキン１２ａを配置させると共に、第１ケース部１０の上端部に第２ケース部１１の外部ケース１２を配置する。このときには、外部ケース１２の下部外周に設けられた切欠き部１２ｂを第１ケース部１０の上端部の外周に設けられた外周突起部１０ａに嵌め込む。これにより、外部ケース１２は、その径方向の位置が規制された状態で第１ケース部１０の上端部に配置される。
【００３５】
この状態で、第２ケース部１１の内部ケース１３を外部ケース１２の上方からその内部に挿入させて、内部ケース１３を第１ケース部１０の上部内周に嵌め込む。このときには、内部ケース１３の内周面に設けられた係止部１３ａが外部ケース１２の内周面の下部に設けられた内周突起部１２ｃを上方から押え付ける。このため、外部ケース１２が防水パッキン１２ａを介して第１ケース部１０の上端部に押し付けられた状態で固定される。これにより、第２ケース部１１が第１ケース部１０上に組み付けられ、腕時計ケース１が組み立てられる。
【００３６】
この腕時計ケース１に時計ガラス１４を取り付ける場合には、まず、リング状の見切り部材６を外部ケース１２内にその上方から挿入させて内部ケース１３上に配置する。この状態で、外部ケース１２内の上部に時計ガラス１４をガラスパッキン１４ａと共に嵌め込んで取り付ける。そして、腕時計ケース１の下側から時計モジュール５をケース本体７の第１ケース部１０内に配置する。
【００３７】
この状態で、腕時計ケース１の３時側にスイッチ部３を取り付けると共に、２時側と４時側とに押釦スイッチ４をそれぞれ取り付ける。すなわち、スイッチ部３を取り付ける場合には、操作軸３ａを外装ケース８の分離部１６のスイッチ挿入孔１６ｃから第１ケース部１０のスイッチ取付孔１０ｂに挿入させて取り付けると共に、操作頭部３ｂを外装ケース８の分離部１６のスイッチ挿入孔１６ｃ内に挿入させて腕時計ケース１の外部に露出させる。
【００３８】
このときには、外装ケース８の分離部１６におけるスイッチ挿入孔１６ｃの内周面とスイッチ部３の操作頭部３ｂの外周面との間に、外装ケース８の分離部１６におけるスリット溝１６ｂの円周方向の溝幅とほぼ同じ大きさの隙間が設けられる。これにより、スイッチ部３が腕時計ケース１の３時側に取り付けられる。
【００３９】
また、押釦スイッチ４を腕時計ケース１に取り付ける場合には、釦軸４ａを外装ケース８の釦挿入孔８ａから第１ケース部１０の釦取付孔１０ｃに挿入させて取り付けると共に、釦頭部４ｂを外装ケース８の釦挿入孔８ａ内に挿入させて腕時計ケース１の外部に露出させる。
【００４０】
このときには、外装ケース８の円周方向における釦頭部４ｂの両端部とこれに対応する釦挿入孔８ａの両側との間に、分離部１６のスリット溝１６ｂの溝幅とほぼ同じ大きさの隙間が設けられる。これにより、押釦スイッチ４が腕時計ケース１の２時側と４時側とに取り付けられる。そして、腕時計ケース１の下部つまり第１ケース部１０の下部に裏蓋１５を取り付けて、腕時計ケース１内に時計モジュール５を押え付けて固定する。これにより、腕時計が組み立てられる。
【００４１】
このように組み立てられた腕時計において、腕時計ケース１の外装ケース８が落下などによる衝撃を受けた際には、その衝撃力の強さに応じて外装ケース８がその円周方向に変位する。すなわち、外装ケース８はセラミックスなどの高硬度の材料で形成されていても、３時側のスイッチ部３が配置される箇所に、外装ケース８をその円周方向に分離する分離部１６が設けられているので、外装ケース８が落下などの衝撃を受けた際に、分離部１６によって外装ケース８をその円周方向に変位させることができる。
【００４２】
すなわち、外装ケース８の分離部１６は、外装ケース８の円周方向と直交する方向に位置する上端部と下端部とに亘って設けられたスリット溝１６ｂと、このスリット溝１６ｂの中心部に設けられたスイッチ挿入孔１６ｃと、を備えているので、外装ケース８が落下などの衝撃を受けた際に、分離部１６のスリット溝１６ｂとスイッチ挿入孔１６ｃとによって、衝撃力の強さに応じて外装ケース８をその円周方向に確実にかつ良好に変位させることができる。
【００４３】
このため、外装ケース８が衝撃を受けても、その衝撃による応力の発生を分散させることができるので、外装ケース８が受けた衝撃を緩和することができる。これにより、外装ケース８が衝撃を受けても、外装ケース８の破損を防ぐことができる。この場合、外装ケース８が衝撃を受けた際に、外装ケース８がその円周方向に変位しても、バンド取付部２、スイッチ部３、および押釦スイッチ４が外装ケース８の円周方向への変位による影響を受けることができない。
【００４４】
すなわち、バンド取付部２は、外装ケース８のカバー突起部２ｂが第１ケース部１０の取付突起部２ａを覆った際に、外装ケース８のカバー突起部２ｂの内面と第１ケース部１０の取付突起部２ａの外面との間に、外装ケース８の分離部１６におけるスリット溝１６ｂの溝幅とほぼ同じ大きさの隙間が、円周方向に設けられる。
【００４５】
これにより、外装ケース８が衝撃を受けて円周方向に変位しても、外装ケース８のカバー突起部２ｂの内面と第１ケース部１０の取付突起部２ａの外面とが互いに当接することがない。このため、外装ケース８が衝撃を受けても、バンド取付部２の破損を防ぐことができる。
【００４６】
また、スイッチ部３は、外装ケース８の分離部１６におけるスイッチ挿入孔１６ｃの内周面とスイッチ部３の操作頭部３ｂの外周面との間に、外装ケース８の分離部１６におけるスリット溝１６ｂの溝幅とほぼ同じ大きさの隙間が、円周方向に設けられる。このため、外装ケース８が衝撃を受けて円周方向に変位しても、外装ケース８のスイッチ挿入孔１６ｃの内周面とスイッチ部３の操作頭部３ｂの外周面とが互いに当接することがないので、外装ケース８が衝撃を受けても、スイッチ部３の破損を防ぐことができる。
【００４７】
さらに、押釦スイッチ４の釦頭部４ｂが配置される外装ケース８の釦挿入孔８ａは、押釦スイッチ４の釦頭部４ｂよりも外装ケース８の円周方向に長く形成されている。このため、外装ケース８の円周方向における釦頭部４ｂの両端部とこれに対応する釦挿入孔８ａの両側との間には、分離部１６のスリット溝１６ｂの溝幅とほぼ同じ大きさの隙間が、円周方向に設けられる。
【００４８】
これにより、外装ケース８が衝撃を受けて円周方向に変位しても、外装ケース８の円周方向における釦頭部４ｂの両端部とこれに対応する釦挿入孔８ａの両側とが互いに当接するのを防ぐことができる。このため、外装ケース８が衝撃を受けても、押釦スイッチ４の破損を防ぐことができる。
【００４９】
このように、この腕時計によれば、ケース本体７と、このケース本体７の外周に配置され、ケース本体７の円周方向における一部を分離するための分離部１６が設けられた外装ケース８と、を備えていることにより、外装ケース８が落下などの衝撃を受けた際に、外装ケース８を分離部１６によって円周方向に変位させることができ、これにより衝撃を緩和することができるので、衝撃による外装ケース８の破損を防ぐことができる。
【００５０】
すなわち、この腕時計では、分離部１６が設けられた外装ケース８が、ケース本体７の外周にその円周方向に変位可能に配置されていることにより、外装ケース８が落下などの衝撃を受けた際に、その衝撃の強さに応じて外装ケース８を円周方向に変位させることができるので、外装ケース８における衝撃による応力の発生を良好に分散させることができ、これにより衝撃を良好に緩和することができるので、衝撃による外装ケース８の破損を防ぐことができる。
【００５１】
この場合、外装ケース８の分離部１６は、スイッチ部３が設けられるケース本体７の３時側の箇所に対応して設けられていることにより、分離部１６を外装ケース８に設けてもケース本体７にスイッチ部３を設けることにより、分離部１６をスイッチ部３の操作頭部３ｂで外部から見えないように隠すことができ、これにより外装ケース８に分離部１６を設けても、腕時計ケース１の外観を損なうことがないので、デザイン性を高めることができる。
【００５２】
また、分離部１６は、外装ケース８をその円周方向に切り離すためのスリット溝１６ｂと、このスリット溝１６ｂの中心部に設けられてスイッチ部３の操作頭部３ｂが挿入するスイッチ挿入孔１６ｃと、を備えていることにより、外装ケース８が落下などの衝撃を受けた際に、外装ケース８に設けられた分離部１６のスリット溝１６ｂとスイッチ挿入孔１６ｃとによって、衝撃力に応じて外装ケース８をその円周方向に確実にかつ良好に変位させることができる。
【００５３】
この場合、スイッチ挿入孔１６ｃは、その内径がスイッチ部３の操作頭部３ｂの外径よりも大きく形成されていることにより、スイッチ部３の操作頭部３ｂをスイッチ挿入孔１６ｃ内に容易にかつ良好に配置させることができると共に、スイッチ部３の操作頭部３ｂをスイッチ挿入孔１６ｃ内から外装ケース８の外部に良好に露出させることができ、これによりスイッチ部３の操作頭部３ｂを確実にかつ良好に操作することができる。
【００５４】
また、スイッチ挿入孔１６ｃは、その内径がスイッチ部３の操作頭部３ｂの外径よりも大きく形成されていることにより、スイッチ挿入孔１６ｃの内周面とスイッチ部３の操作頭部３ｂの外周面との間に、スリット溝１６ｂの溝幅とほぼ同じ大きさの隙間を設けることができる。このため、外装ケース８が衝撃を受けて円周方向に変位しても、外装ケース８のスイッチ挿入孔１６ｃの内周面とスイッチ部３の操作頭部３ｂの外周面とが互いに当接することがないので、外装ケース８が衝撃を受けても、スイッチ部３の破損を防ぐことができる。
【００５５】
また、この腕時計ケース１では、ケース本体７にスイッチ部３以外の他のスイッチ部である押釦スイッチ４が設けられ、外装ケース８に押釦スイッチ４の釦頭部４ｂが挿入する取付孔である釦挿入孔８ａが押釦スイッチ４の釦頭部４ｂよりも外装ケース８の円周方向に長く形成されていることにより、押釦スイッチ４の釦頭部４ｂを釦挿入孔８ａ内に容易にかつ良好に配置させることができると共に、押釦スイッチ４の釦頭部４ｂを確実にかつ良好に操作することができる。
【００５６】
この場合にも、釦挿入孔８ａは、押釦スイッチ４の釦頭部４ｂよりも外装ケース８の円周方向に長く形成されているため、外装ケース８の円周方向における釦頭部４ｂの両端部とこれに対応する釦挿入孔８ａの両側との間に、スリット溝１６ｂの溝幅とほぼ同じ大きさの隙間を円周方向に設けることができる。このため、外装ケース８が衝撃を受けて円周方向に変位しても、釦頭部４ｂの両端部と釦挿入孔８ａの両側とが互いに当接することがないので、外装ケース８が衝撃を受けても、押釦スイッチ４の破損を防ぐことができる。
【００５７】
さらに、この腕時計ケース１では、バンド取付部２が、第１ケース部１０の取付突起部２ａと、この取付突起部２ａを覆う外装ケース８のカバー突起部２ｂと、を備えていることにより、カバー突起部２ｂによって取付突起部２ａを覆うことができ、この外装ケース８のカバー突起部２ｂによってバンド取付部２が傷付き難くすることができるので、これによっても腕時計ケース１のデザイン性を高めることができる。
【００５８】
この場合、バンド取付部２は、カバー突起部２ｂが取付突起部２ａを覆った際に、外装ケース８のカバー突起部２ｂの内面と第１ケース部１０の取付突起部２ａの外面との間に、外装ケース８のスリット溝１６ｂとほぼ同じ大きさの隙間が円周方向に設けられることにより、外装ケース８が衝撃を受けて円周方向に変位しても、外装ケース８のカバー突起部２ｂ内面と第１ケース部１０の取付突起部２ａの外面とが互いに当接することがないので、外装ケース８が衝撃を受けても、バンド取付部２の破損を防ぐことができる。
【００５９】
また、この腕時計ケース１では、外装ケース８が酸化ジルコニウム（ＺｒＯ２）、酸化アルミニウム（Ａｌ２Ｏ３）などのセラミックスによって形成されていることにより、外装ケース８の硬度を高めることができ、これにより外装ケース８の表面に傷が付き難くすることができるので、デザイン性に優れ、品質を確保し続けることができる。
【００６０】
この場合、セラミックスは、脆性材料であるため、衝撃を受けると破損し易いが、このセラミックスを用いた外装ケース８は、衝撃を受けた際に、分離部１６のスリット溝１６ｂとスイッチ挿入孔１６ｃとによって外装ケース８を円周方向に変位させて、衝撃による応力の発生を分散させることができ、衝撃を緩和させることができるので、衝撃による外装ケース８の破損を防ぐことができる。
【００６１】
なお、上述した実施形態では、外装ケース８の３時側に分離部１６を設けた場合について述べたが、この発明は、必ずしも分離部１６を３時側に設ける必要はなく、外装ケース８の何処に設けても良く、また分離部１６は、一箇所である必要なく、外装ケース８の複数箇所に設けても良い。
【００６２】
また、上述した実施形態では、分離部１６が凹部１６ａとスリット溝１６ｂとスイッチ挿入孔１６ｃとを備えた構造である場合について述べたが、この発明は、これに限らず、例えばスリット溝１６ｂのみを備えた構造であっても良い。
【００６３】
また、上述した実施形態では、ケース本体７の第２ケース部１１を外部ケース１２と内部ケース１３とで構成した場合について述べたが、この発明は、これに限らず、外部ケース１２と内部ケース１３とを一体に形成した構造であっても良い。また、ケース本体７は必ずしも第１ケース部１０と第２ケース部１１とで構成する必要はなく、第１ケース部１０と第２ケース部１１とを一体に形成した構造であっても良い。
【００６４】
さらに、上述した実施形態では、腕時計に適用した場合について述べたが、この発明は、必ずしも腕時計である必要はなく、例えばトラベルウオッチ、目覚まし時計、置き時計、掛け時計などの各種の時計に適用することができる。また、この発明は、必ずしも時計である必要はなく、携帯電話機や携帯端末機などの電子機器のケースにも適用することができる。
【００６５】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００６６】
（付記）
請求項１に記載の発明は、ケース本体と、前記ケース本体の外周にその円周方向に変位可能に配置され、前記ケース本体の前記円周方向における少なくとも一部を分離する分離部が設けられた外装部材と、を備えていることを特徴とするケースである。
【００６７】
請求項２に記載の発明は、請求項１に記載のケースにおいて、前記外装部材の前記分離部は、スイッチ部が設けられる前記ケース本体の箇所に対応して設けられていることを特徴とするケースである。
【００６８】
請求項３に記載の発明は、請求項２に記載のケースにおいて、前記分離部は、前記外装部材をその円周方向に分離するためのスリット溝と、このスリット溝の中心部に設けられて前記スイッチ部の頭部が挿入する挿入孔と、を備えていることを特徴とするケースである。
【００６９】
請求項４に記載の発明は、請求項３に記載のケースにおいて、前記挿入孔は、前記スイッチ部の前記頭部の外径よりも前記円周方向に大きく形成されていることを特徴とするケースである。
【００７０】
請求項５に記載の発明は、請求項２〜請求項４のいずれかに記載のケースにおいて、前記ケース本体には、前記スイッチ部以外の他のスイッチ部が設けられ、前記外装部材には、前記他のスイッチ部の頭部が挿入する取付孔が前記他のスイッチ部の前記頭部の外径よりも前記円周方向に大きく形成されていることを特徴とするケースである。
【００７１】
請求項６に記載の発明は、請求項１〜請求項５のいずれかに記載のケースにおいて、前記ケース本体には、バンド突起部が外部に突出して設けられ、前記外装部材には、前記バンド突起部を覆うカバー部がその内面と前記バンド突起部の外面との間に前記外装部材の円周方向に隙間をもって設けられていることを特徴とするケースである。
【００７２】
請求項７に記載の発明は、請求項１〜請求項６のいずれかに記載のケースにおいて、前記外装部材は、セラミックスによって形成されていることを特徴とするケースである。
【００７３】
請求項８に記載の発明は、請求項１〜請求項７のいずれかに記載されたケースを備えていることを特徴とする時計である。
【符号の説明】
【００７４】
１  腕時計ケース
２  バンド取付部
２ａ  取付突起部
２ｂ  カバー突起部
３  スイッチ部
３ａ  操作軸
３ｂ  操作頭部
４  押釦スイッチ
４ａ  釦軸
４ｂ  釦頭部
５  時計モジュール
７  ケース本体
８  外装ケース
８ａ  釦挿入孔
１０  第１ケース部
１１  第２ケース部
１２  外部ケース
１３  内部ケース
１４  時計ガラス
１５  裏蓋
１６  分離部
１６ａ  凹部
１６ｂ  スリット溝
１６ｃ  スイッチ挿入孔
【図１】
2019027854.tif 000003
【図２】
2019027854.tif 000004
【図３】
2019027854.tif 000005
【図４】
2019027854.tif 000006
【図５】
2019027854.tif 000007
【図６】
2019027854.tif 000008
【手続補正書】
【提出日】平成30年7月2日(2018.7.2)
【手続補正１】
【補正対象書類名】明細書
【補正対象項目名】００２８
【補正方法】変更
【補正の内容】
【００２８】
これにより、スイッチ部３は、図４〜図６に示すように、その操作軸３ａが第１ケース部１０のスイッチ取付孔１０ｂに挿入されて取り付けられた状態で、操作頭部３ｂが外装ケース８のスイッチ挿入孔１６ｃに挿入されて外部に露出するように構成されている。この場合、スイッチ部３は、外装ケース８がその円周方向に変位しても、操作頭部３ｂの外周面とスイッチ挿入孔１６ｃの内周面との間に設けられた隙間によって、操作頭部３ｂがスイッチ挿入孔１６ｃの内周面に当接しないように構成されている。
【手続補正２】
【補正対象書類名】明細書
【補正対象項目名】００３３
【補正方法】変更
【補正の内容】
【００３３】
また、このときには、外装ケース８の分離部１６のスイッチ挿入孔１６ｃを第１ケース部１０のスイッチ取付孔１０ｂに同一軸上に対応させると共に、外装ケース８の釦挿入孔８ａを第１ケース部１０の釦取付孔１０ｃに同一軸上に対応させる。これにより、外装ケース８が第１ケース部１０の外周にその円周方向に変位可能な状態で取り付けられる。